(57)【要約】【課題】必要な風量が得られない場合でも、プーリーの径の組み合わせを変更することなく、風量を所望の値に容易に制御でき、しかも安価に製作する。【課題手段】空気調和機１は、キャビネット２と、このキャビネットに設けられた吸込口５及び吹出口６と、前記キャビネット内に設けられた熱交換器３と、前記吸込口から空気を吸込み前記熱交換器を通過後の空気を前記吹出口から吹出すための送風機４と、該送風機を駆動する電動機７を備える。また、電動機の回転を送風機に伝達するためのプーリー８，９及びベルト１０を備える動力伝達部と、電動機を制御するためのインバータ機器１４をキャビネット内に設置するために吸込口と熱交換器との間に設けられたインバータ機器設置部１５を備える。【選択図】図１
2017003131.tif 000002
【特許請求の範囲】
【請求項１】
キャビネットと、このキャビネットに設けられた吸込口及び吹出口と、前記キャビネット内に設けられた熱交換器と、前記吸込口から空気を吸込み前記熱交換器を通過後の空気を前記吹出口から吹出すための送風機と、該送風機を駆動する電動機と、該電動機の回転を前記送風機に伝達するためのプーリー及びベルトを備える動力伝達部と、
前記電動機を制御するためのインバータ機器を前記キャビネット内に設置するために前記吸込口と前記熱交換器との間に設けられたインバータ機器設置部
を備えることを特徴とする空気調和機。
【請求項２】
請求項１に記載の空気調和機において、
前記インバータ機器設置部は、吸込口から吸い込んだ空気が熱交換器に至る通風路内に配置されていることを特徴とする空気調和機。
【請求項３】
請求項１に記載の空気調和機において、
前記キャビネットの正面側には前面カバーが設けられ、この前面カバーの前記インバータ機器設置部に対応する部分には複数の空気吸込孔が形成されていることを特徴とする空気調和機。
【請求項４】
請求項１〜３の何れか１項に記載の空気調和機において、
前記キャビネット内の底部には、前記熱交換器で発生したドレン水を受けるドレン受けが設置され、このドレン受けの上に前記インバータ機器設置部が設置され、このインバータ機器設置部は、インバータ機器を設置するための台及び前記インバータ機器にドレン水がかかるのを防止するための防水部材を備えることを特徴とする空気調和機。
【請求項５】
請求項１〜３の何れか１項に記載の空気調和機において、
前記キャビネットの正面側下部には空気調和機を制御するための電気部品が収納された電気品箱が設置され、前記インバータ機器設置部は、前記キャビネット内の正面側下部の前記電気品箱の側部に設けられていることを特徴とする空気調和機。
【請求項６】
請求項４に記載の空気調和機において、
前記防水部材は、前記インバータ機器設置部に設置される前記インバータ機器の上部、背部及び側部を囲んで覆うように設けられた箱型形状の防水部材で構成されていることを特徴とする空気調和機。
【請求項７】
請求項６に記載の空気調和機において、
前記箱型形状の防水部材の正面側は開口部となっており、前記キャビネットの正面側から前記インバータ機器の設置、取り外し及びメンテナンスを行えるように構成されていることを特徴とする空気調和機。
【請求項８】
請求項６に記載の空気調和機において、
前記箱型形状の防水部材の背面下部と前記ドレン受けとの間に吸込空気が流れる隙間を形成していることを特徴とする空気調和機。
【請求項９】
請求項４に記載の空気調和機において、
前記防水部材は、平板を折り曲げた仕切板形状の防水部材で構成され、前記インバータ機器設置部内に設置されるインバータ機器の上部及び背部を覆うようして、ドレン水が前記インバータ機器にかかるのを防止するように構成していることを特徴とする空気調和機。
【請求項１０】
請求項６に記載の空気調和機において、
前記熱交換器の下部には、該熱交換器で凝縮したドレン水を受けるための露受けが設けられ、この露受けで受けたドレン水を前記箱型形状の防水部材に導き、前記箱型形状の防水部材をドレン水で冷却するように構成していることを特徴とする空気調和機。
【請求項１１】
請求項１０に記載の空気調和機において、
前記インバータ機器設置部は、前記熱交換器下部の前記露受け下方に設置され、前記箱型形状の防水部材の上方の前記露受けの部分には、ドレン水を前記防水部材上部に落下させるための孔を設けていることを特徴とする空気調和機。
【請求項１２】
請求項１１に記載の空気調和機において、
前記露受けは前記防水部材側が低くなるように傾斜をつけ、前記孔からドレン水が効率良く流出するように構成していることを特徴とする空気調和機。
【発明の詳細な説明】
【技術分野】
【０００１】
本発明は、空気調和機に関し、特にプーリーとベルトの組み合わせにより送風機の回転数を決定するように構成している床置き型の空気調和機に好適なものである。
【背景技術】
【０００２】
プーリーとベルトの組み合わせにより送風機の回転数を決定するように構成している床置き型の空気調和機としては、特開２０１２−１６３２７４号公報（特許文献１）や特開２０１４−１２６３３１号公報（特許文献２）に記載されているものなどがある。
【０００３】
これら従来の空気調和機のようにプーリーとベルトの組み合わせにより送風機の回転数を決定するようにしているものでは、室内に送風する送風機が、単位時間当たりに移動させる空気量である風量、及び冷暖房のために空気を送るダクト（風導管）内部に及ぼす圧力（静圧）を所定の値に調整する必要がある。このため、送風機の必要な回転数を計算等の手段により求め、商用電源の電源周波数により決定される送風機用の電動機の回転数を基に、鋳物で製作された円盤状の回転数変更部材であるモータープーリーとファンプーリーとの径の組み合わせを選定し、両プーリーの外周にベルトを掛けて動力を伝達することにより、送風機の回転数を決定している。
【０００４】
また、上記特許文献２のものには、上記のようなプーリーの組み合せにより送風機回転数を決定するのではなく、電動機の回転軸と送風機を直結し、前記電動機の回転数をインバータにより可変制御することで、風量を所望の値に制御することも記載されている。
【先行技術文献】
【特許文献】
【０００５】
【特許文献１】特開２０１２−１６３２７４号公報
【特許文献２】特開２０１４−１２６３３１号公報
【発明の概要】
【発明が解決しようとする課題】
【０００６】
上述したプーリーとベルトの組み合わせにより送風機の回転数を決定するもの、即ちモータープーリーとファンプーリーの径の組み合わせを変更することで風量を調節するものでは、計算により必要な回転数を求め、それによりプーリーとベルトの組み合わせを選定し、空気調和機を組み立てて運転する。しかし、空気調和機の据付位置等による吸込圧損や吹出ダクト形状・寸法などの現地要因に伴う影響などにより、必要な送風機風量が得られないという課題があった。
【０００７】
また、必要な風量が得られない場合にはプーリーの径の組み合わせを再選定し、プーリー及びベルトを再手配して交換作業をする必要があり、空気調和機の据付時の作業が煩雑になる課題がある。
【０００８】
なお、電動機の回転軸と送風機を直結し、前記電動機の回転数をインバータにより可変制御することで、送風機の風量を所望の値に制御するものでは、空気調和機内にインバータ制御装置を組み込む必要があり、空気調和機の価格が高くなる。また、インバータ制御部は空気調和機の制御基板からの指令により制御されるため、現地要求仕様に合わせた送風機の回転数制御、即ち風量調節を容易に行うことはできないという課題がある。
【０００９】
本発明の目的は、必要な風量が得られない場合でも、プーリーの径の組み合わせを変更することなく、風量を所望の値に容易に制御でき、しかも安価に製作することのできる空気調和機を得ることにある。
【課題を解決するための手段】
【００１０】
上記目的を達成するため、本発明は、キャビネットと、このキャビネットに設けられた吸込口及び吹出口と、前記キャビネット内に設けられた熱交換器と、前記吸込口から空気を吸込み前記熱交換器を通過後の空気を前記吹出口から吹出すための送風機と、該送風機を駆動する電動機と、該電動機の回転を前記送風機に伝達するためのプーリー及びベルトを備える動力伝達部と、前記電動機を制御するためのインバータ機器を前記キャビネット内に設置するために前記吸込口と前記熱交換器との間に設けられたインバータ機器設置部を備えることを特徴とする。
【発明の効果】
【００１１】
本発明によれば、必要な風量が得られない場合でも、プーリーの径の組み合わせを変更することなく、風量を所望の値に容易に制御でき、しかも安価に製作することのできる空気調和機を得ることができる効果が得られる。
【図面の簡単な説明】
【００１２】
【図１】本発明の空気調和機の実施例１を示す全体斜視図である。
【図２】図１に示すプーリーとベルトを用いた送風機への動力伝達部の説明図である。
【図３】図２に示すプーリーとベルトの部分を図２のIII−III線矢視方向から見た図である。
【図４】図１に示す実施例１の空気調和機におけるインバータ機器設置部付近を拡大して示す要部拡大図である。
【図５】図４に示す状態から前カバーを取り付けた状態を示す要部拡大図である。
【図６】本発明の実施例１の空気調和機における防水部材の他の例を示す要部拡大図で、図４に相当する図である。
【図７】本発明の空気調和機の実施例２を示す全体斜視図である。
【図８】図７の要部を拡大して示す要部拡大斜視図である。
【発明を実施するための形態】
【００１３】
以下、本発明の空気調和機の具体的実施例を、図面を用いて説明する。各図において同一符号を付した部分は同一或いは相当する部分を示している。
【実施例１】
【００１４】
本発明の空気調和機の実施例１を図１〜図５を用いて説明する。  
図１は本発明の空気調和機の実施例１を示す全体斜視図である。この図１では内部構成がわかるように、前面カバー、側面カバーを及び枠体の一部を取り外した状態で図示している。この図１に示すように、本実施例における空気調和機１は、キャビネット２内に、熱交換器３及び送風機４などが設けられている。また、前記キャビネット２の前面には吸込口５が設けられ、また上面には吹出口６が設けられている。
【００１５】
前記送風機４の下部側には該送風機４を駆動するための電動機７が設置されており、この電動機７の回転軸には鋳物で製作されたモータープーリー８が取り付けられ、また前記送風機４の回転軸にも鋳物で製作されたファンプーリー９が取り付けられて、前記両プーリー８と９との間にはベルト１０が掛けられ、これらプーリー８，９及びベルト１０により動力伝達部が構成されている。前記電動機７の回転は前記モータープーリー８、前記ベルト１０及び前記ファンプーリー９を介して前記送風機４に伝達される。
【００１６】
前記電動機７により前記動力伝達部を介して前記送風機４が回転すると、室内空気は前記吸込口５から前記キャビネット２内に吸い込まれ、このキャビネット２内の上下方向中央付近に設置されている前記熱交換器３を通過して熱交換器３内を流れる冷媒と熱交換し、冷却（或いは加熱）される。この熱交換された空気は、前記キャビネット２内の上部に設置されている前記送風機４を介して、前記吹出口６から再び室内などに供給され、室内などが設定温度になるように空調される。前記吹出口６から吹き出された空気は、吹出しダクトを介して所望の位置に供給されるか、プレナムチャンバに接続されて室内に吹出される。
【００１７】
前記キャビネット２の正面側下部（この例では右下部）には、空気調和機を制御するための電気部品が収納された電気品箱１１が設置され、また前記キャビネット２の正面側の右上部付近には、空気調和機１の運転操作を行うための操作パネル１２が設置されている。更に、前記熱交換器３の下部には該熱交換器３で凝縮したドレン水（凝縮水）を受けるための露受け１９が設けられ、また前記キャビネット２内の底部にはドレン受け１３が設置され、これら露受け１９及びドレン受け１３により前記熱交換器３で発生するドレン水を受けることができるように構成されている。
【００１８】
なお、図１では、前述したように、前面カバー、側面カバーを取り外した状態を示しているが、空気調和機１が設置された状態では、前記キャビネット２正面側の前記吸込口５の上下にそれぞれ前面カバーが、側面には側面カバーが取り付けられる。
【００１９】
図１に示すプーリーとベルトを用いた送風機への動力伝達部について図２及び図３を用いて説明する。図２は図１に示すプーリーとベルトを用いた送風機への動力伝達部の説明図、図３は図２に示すプーリーとベルトの部分を図２のIII−III線矢視方向から見た図である。本実施例の空気調和機は、これらの図に示すように、プーリー８，９とベルト１０により前記電動機７の回転を前記送風機４に伝達している。
【００２０】
前記電動機７及び前記モータープーリー８の回転数は商用電源の電源周波数により決定される。従って、風量を所望の値に調整するためには、必要な送風機４の回転数を送風機特性曲線より求め、前記モータープーリー８とファンプーリー９の径の組合せを選定し、両プーリーの外周にベルト５を掛けて動力を伝達することで、前記送風機４を必要な回転数で回転させる。これにより所望の風量を得るようにしている。
【００２１】
しかし、モータープーリー８とファンプーリー９の径の組み合わせで、所定の風量を得るようにしているものでは、空気調和機の据付場所等による吸込圧損や、前記吹出口６に接続される吹出しダクトの形状・寸法などの現地での設置要因に伴う影響などにより、必要な送風機風量が得られないことがある。必要な風量が得られない場合には、プーリー８，９の径の組み合わせを再選定し、プーリー８，９及びベルト１０を再手配して交換作業をする必要があり、空気調和機１の据付時の作業が煩雑になる。
【００２２】
このように、空気調和機１を設置後に必要な風量が得られない場合に、前記プーリー８，９やベルト１０の交換作業をする代わりに、市販されている汎用のインバータ機器（インバータ装置）を空気調和機１の近くに設置して、必要な送風機回転数を得るようにすることも考えられる。このように、空気調和機１の設置後に、インバータ機器を設置して送風機を駆動すれば、プーリーなどの交換をすることなく、風量を所望の値に調整できる。
【００２３】
しかし、前記汎用のインバータ機器を空気調和機１の外側に設置する場合、設置スペースを別途確保する必要があり、設置スペースを確保できなければ採用できない。なお、空気調和機１のキャビネット２内に前記汎用インバータ機器を設置するスペースを確保できる場合には、前記汎用インバータ機器を空気調和機１内に設置することも考えられる。しかし、空気調和機１内に汎用インバータ機器を設置すると、この汎用インバータ機器を十分に冷却できず、発熱を抑制できない虞がある。また、熱交換器で凝縮した液滴（ドレン水）が前記汎用インバータ機器にかかり、故障を引き起こす虞もある。このように、空気調和機１内に汎用インバータ機器を設置するスペースを仮に確保できたとしても、汎用インバータ機器の信頼性を確保できない課題がある。
【００２４】
そこで、本実施例では、空気調和機１を設置後に必要な風量が得られない場合に、プーリー８，９やベルト１０の交換作業をする代わりに、市販されている汎用のインバータ機器を空気調和機１内に容易に設置できるようにしたものである。しかも、本実施例では、前記汎用のインバータ機器を空気調和機１内に設置しても、該インバータ機器の発熱を防止でき、ドレン水がかかることによる故障の発生も防止できるようにしたものである。
【００２５】
このように、空気調和機１の設置後に、必要に応じてインバータ機器を空気調和機１内に設置して送風機を駆動すれば、プーリーなどの交換をすることなく、送風機４の風量を所望の値に容易に調整することができる。  
即ち、本実施例では、図１に示すように、汎用のインバータ機器１４を空気調和機１内に組込むためのインバータ機器設置部１５を、前記キャビネット２内の吸込口５と熱交換器３の間の空間に設けているものである。
【００２６】
また、前記インバータ機器設置部１５は、本実施例では、前記キャビネット２内の正面側下部の前記電気品箱１１の側部に設けられている。更に、前記インバータ機器設置部１５は、インバータ機器１４を設置するための台１６及び防水部材１７などにより構成されている。
【００２７】
なお、図１では、前記インバータ機器設置部１５に前記インバータ機器１４を設置している状態を示しているが、汎用インバータによる風量調整が不要な場合には、前記インバータ機器設置部１５にインバータ機器１４を設置する必要はない。
【００２８】
前記インバータ機器設置部１５付近の構成を、図４及び図５を用いて更に詳しく説明する。図４は図１に示す本実施例１の空気調和機におけるインバータ機器設置部付近を拡大して示す要部拡大図、図５は図４に示す状態から前カバーを取り付けた状態を示す要部拡大図である。
【００２９】
前記インバータ機器設置部１５は、前述したように、前記吸込口５と前記熱交換器３の間の空間で、電気品箱１０の側部に配置されており、前記送風機４が回転すると前記吸込口５から吸い込まれた吸込空気の一部が、前記インバータ機器設置部１５側を通過する際に前記防水部材１７に沿って流れるように構成されている。これにより、前記防水部材１７を介して前記インバータ機器１４を冷却し、このインバータ機器１４で発生する熱の排熱処理が速やかに行なわれるように構成している。
【００３０】
また、前記インバータ機器設置部１５は、図１で説明したように、インバータ機器１４を設置するための台１６及び防水部材１７などにより構成されている。この防水部材１７は、前記台１６にインバータ機器１４が設置された状態のときに、前記熱交換器３で発生したドレン水が前記インバータ機器１４にかかるのを防止するように、この例では箱型形状の防水部材１７ａに構成されている。
【００３１】
前記台１６及び前記箱型形状の防水部材１７ａは、前記ドレン受け１３の上に固定されて設置されている。前記台１６には、必要に応じて、即ち空気調和機１の設置後に風量調整が必要になった場合に、インバータ機器１４が設置される。従って、前記インバータ機器１４は前記ドレン受け１３よりも高い位置に設置され、且つこのインバータ機器１４は、前記箱型形状の防水部材１７ａにより、上部、背部及び側部から囲まれて覆われるように構成されている。この箱型形状の防水部材１７ａにより、前記熱交換器３で凝縮した凝縮水（ドレン水）が上方から落下しても、インバータ機器１４が液滴を浴びない防滴構造に構成されている。
【００３２】
なお、図４は前面カバー１８（図５参照）を取り外した状態を、図５は前面カバー１８を取り付けた状態を示している。図４に示すように、前面カバー１８を取り外した状態では、前記箱型形状の防水部材１７ａの正面側（前面側）、即ち前記インバータ機器設置部１５の正面側は開口部となっており、キャビネット２の正面側から、前記インバータ機器１４の設置、取り外し及びメンテナンスなどが容易に行えるように構成されている。
【００３３】
また、図５に示すように、前面カバー１８が設置された状態では、前記インバータ機器設置部１５及び前記電気品箱１１の正面側は前面カバー１８により覆われて保護された状態となる。更に本実施例では、図５に示すように、上記前面カバー１８には、前記インバータ機器設置部１５に対応する部分に複数のスリット状の空気吸込孔２０が形成されており、前記インバータ機器設置部１５にインバータ機器１４が設置された状態のときに、前記インバータ機器１４が前記空気吸込孔２０から吸い込まれる空気によっても冷却されて、インバータ機器１２の排熱処理を更に向上できるように構成している。
【００３４】
なお、前記インバータ機器設置部１５を空気が通過し易いように、前記箱型形状の防水部材１７ａの背面下部と前記ドレン受け１３との間などに吸込空気が流れる隙間を形成すれば、インバータ機器１４にドレン水がかかるのを防止しつつ、インバータ機器１４を冷却するために十分な量の空気を、直接前記インバータ機器１４に接触するように流すことができる。
【００３５】
上述した図４及び図５に示す例では、前記インバータ機器設置部１５の防水部材１７を、箱型形状の防水部材１７ａに構成した例を説明したが、前記防水部材１７は箱型形状１７ａのものには限定されず、図６に示すように構成したものを使用しても良い。図６は本発明の実施例１の空気調和機における防水部材１７の他の例を示す要部拡大図で、図４に相当する図である。なお、図６では図４における枠体の一部も取り外した状態で図示している。また、図６においても、インバータ機器設置部１５にはインバータ機器１４が設置されている状態を示している。
【００３６】
この図６に示す例が上記図４及び図５と異なる点は、前記防水部材１７が、箱型形状ではなく、平板を折り曲げた仕切板形状の防水部材１７ｂで構成され、熱交換器３で凝縮して落下するドレン水がインバータ機器１４にかからないようにしたものである。即ち、台１６上に設置されたインバータ機器１４は、前記仕切板形状の防水部材１７ｂにより、上部及び背部が覆われるように構成されている。他の構成は上記図４、図５で説明したものと同様である。
【００３７】
このように防水部材１７を仕切板形状の防水部材１７ｂに構成しても、インバータ機器１４が液滴を浴びない防滴構造に構成でき、図４、図５に示したものとほぼ同様の効果を得ることができる。また、防水部材１７を、図５に示すように、平板を折り曲げた仕切板形状の防水部材１７ｂとすることで、防水部材１７を容易に製作することができる。更に、図５に示すように、インバータ機器設置部１５の両側面は開口しているので、前記吸込口５や前記空気吸込孔２０（図５参照）から吸入された空気の一部は前記インバータ機器設置部１５の内部を通過して、インバータ機器１４を直接冷却することができる。従って、吸込空気によるインバータ機器１４の排熱処理を速やかに行うことができ、冷却効果を向上できる。
【００３８】
以上述べたように、本実施例によれば、プーリー８，９とベルト１０の組合せにより送風機回転数を設定する空気調和機１を、現地据付後に、市販の安価な汎用のインバータ機器を空気調和機内に容易に設置することができる。従って、据付後に風量調節が必要になった場合には、プーリー交換によるプーリー径の組み合わせを変更するような煩雑な作業をすることなく、送風機４の風量調節を容易且つ安価に行うことができる。また、設置した汎用インバータ機器１４の制御部を用いることで、現地要求仕様に合わせた送風機の回転数制御、即ち風量調節も容易に行うことができる。
【００３９】
更に、インバータ機器設置部１５を吸込口５と熱交換器３の間の空間に設けているので、設置された汎用インバータ機器１４から発生する熱を吸込空気によって速やかに排熱することができる。従って、空気調和機内にインバータ機器を設置しても、該インバータ機器の発熱を抑制できる。
【００４０】
また、前記インバータ機器設置部１５には防水部材１７を設けているので、熱交換器３で凝縮したドレン水がインバータ機器１４にかかるのを防止でき、更にインバータ機器はドレン受け１３よりも高い台１６の上に設置されるので、インバータ機器１４への水の浸入を防止できる。従って、前記インバータ機器設置部１５に必要に応じて設置した汎用インバータ機器１４の故障の発生も抑制できる。
【実施例２】
【００４１】
本発明の空気調和装置の実施例２を図７及び図８により説明する。これら図７及び図８において、上記図１〜図６と同一符号を付した部分は同一或いは相当する部分であり、同一部分については説明を省略し、上記実施例１と異なる部分を中心に説明する。図７は本発明の空気調和機の実施例２を示す全体斜視図、図８は図７の要部を拡大して示す要部拡大斜視図である。
【００４２】
本実施例２においても、図７に示すように、前記インバータ機器設置部１５はキャビネット２内における吸込口５と熱交換器３との間の空間に設けられている点ではほぼ同じであるが、本実施例２では、前記インバータ機器設置部１５が、熱交換器３下部の露受け１９下方に設置されている点が上記実施例１とは特に異なっている。即ち、前記インバータ機器設置部１５は、キャビネット２の下部前面側に設けられている電気品箱１１の側部で、前記電気品箱１１よりもやや後方に設けられている。
【００４３】
前記熱交換器３で発生し、該熱交換器３に沿って流下する凝縮水は前記露受け１９で受けられるが、本実施例では、前記露受け１９に溜まるドレン水（凝縮水）を利用して、前記インバータ機器設置部１５の冷却を行うようにしたものである。即ち、熱交換器３で生じるドレン水を利用して、インバータ機器１４（図８参照）で発生する熱を除去するものである。  
このため、本実施例では、前記インバータ機器設置部１５には箱型形状の防水部材１７ａが設けられ、この防水部材１７ａ上方の前記露受け１９の部分には、ドレン水を前記防水部材１７ａ上部に落下させるための孔１９ａを設けているものである。
【００４４】
以下、図８を用いて、前記インバータ機器設置部１５付近の構成を詳細に説明する。
図８に示すように、熱交換器３下部の露受け１９下方には前記インバータ機器設置部１５が設置されている。また、前記インバータ機器設置部１５は、図４で説明した実施例１と同様に、インバータ機器１４を設置するための台１６や防水部材１７などにより構成され、前記防水部材１７は箱型形状の防水部材１７ａに構成されている。前記台１６及び前記箱型形状の防水部材１７ａは前記ドレン受け１３の上に固定されて設置されている。
【００４５】
前記台１６には、空気調和機１の設置後に風量調整が必要になった場合には必要に応じて、破線で示すようにインバータ機器１４が設置される。このインバータ機器１４は、前記台１６を介して前記ドレン受け１３よりも高い位置に設置され、前記箱型形状の防水部材１７ａにより、上部、背部及び側部から囲まれて覆われるように構成されている。これにより、熱交換器３で凝縮したドレン水が上方から落下しても、インバータ機器１４が液滴を浴びない防滴構造となっている。
【００４６】
また、前記インバータ機器設置部１５は、吸込口５からの吸込空気によりインバータ機器１４の排熱処理を助ける位置に設けられている。  
更に、本実施例では、前記インバータ機器設置部１５が、前記露受け１９の下部に配置されているので、空気調和機１を運転することにより発生するドレン水は、熱交換器３を伝わって前記露受け１９に溜まり、このドレン水は前記孔１９ａ側に流れて、この孔１９ａから流下する。この流下したドレン水は、前記インバータ機器１４を覆っている箱型形状の前記防水部材１７ａの上部に落下し、この防水部材１７ａに沿って流下する。このとき、前記防水部材１７ａはドレン水により冷却されるので、防水部材１７ａの内部に設置されているインバータ機器１４から発生する熱を除去することができる。
【００４７】
なお、前記露受け１９は前記防水部材１７ａ側が低くなるように傾斜をつけたり、前記露受け１９の端部に堰を設けて前記孔１９ａからドレン水が効率良く流出するようにすることも有効である。
【００４８】
上述したように、本実施例では、前記インバータ機器１４は、吸込口５から吸い込まれる空気及び前記熱交換器３で発生するドレン水により冷却されるので、インバータ機器１４の冷却効果を向上できる。また、インバータ機器１４は防水部材１７により覆われているので、インバータ機器１４にドレン水がかかるのを防止でき、更にインバータ機器はドレン受け１３より高い台の上に設置されるので、インバータ機器１４への水の浸入も防止できるから、インバータ機器１４の故障の発生も防止できる。  
他の構成や動作は上述した実施例１と同様である。
【００４９】
なお、本発明は上記した実施例に限定されるものではなく、様々な変形例が含まれる。例えば、居室を空調する床置き型の空気調和機などにも同様に適用できるものである。  
また、ある実施例の構成の一部を他の実施例の構成に置き換えることが可能であり、ある実施例の構成に他の実施例の構成を加えることも可能である。更に、上記した実施例は本発明を分かり易く説明するために詳細に説明したものであり、必ずしも説明した全ての構成を備えるものに限定されるものではない。
【符号の説明】
【００５０】
１：空気調和機、２：キャビネット、３：熱交換器、４：送風機、
５：吸込口、６：吹出口、７：電動機、
８，９：プーリー（８：モータープーリー、９：ファンプーリー）、１０：ベルト、
１１：電気品箱、１２：操作パネル、１３：ドレン受け、
１４：インバータ機器、１５：インバータ機器設置部、１６：台、
１７：防水部材（１７ａ：箱型形状の防水部材、１７ｂ：仕切板形状の防水部材）、
１８：前面カバー、１９：露受け、１９ａ：孔、２０：空気吸込孔。
【図１】
2017003131.tif 000003
【図２】
2017003131.tif 000004
【図３】
2017003131.tif 000005
【図４】
2017003131.tif 000006
【図５】
2017003131.tif 000007
【図６】
2017003131.tif 000008
【図７】
2017003131.tif 000009
【図８】
2017003131.tif 000010